【事件の表示】
　特許第３１９０６３８号「冷蔵庫」の請求項１ないし３に係る特許に対する特許異議の申立てについて、次のとおり決定する。
【結　論】
　訂正を認める。
　特許第３１９０６３８号の請求項１に係る特許を維持する。
【理　由】
１．手続の経緯
　本件特許３１９０６３８号の請求項１〜３に係る発明についての出願は、平成１１年４月１６日になされたものであって、平成１３年４月１０日に、特許の設定登録がなされ、その後、株式会社東芝より全請求項に係る発明の特許について特許異議の申立がなされ、そして、取消理由が通知され、その指定期間内である平成１４年６月２４日に訂正請求がなされ、同訂正請求に対して、手続補正指令がなされ、平成１４年８月８日付けで平成１４年６月２４日付け訂正請求書の補正がなされたものである。
　
２．訂正の適否についての判断
２−１　特許権者の求めている訂正
　特許権者が求めている訂正は、平成１４年８月８日付手続補正書（方式）により補正された平成１４年６月２４日付け訂正請求書に記載された、以下のとおりのものである。
　
２−１−１　特許請求の範囲の記載に関して
　訂正事項１　
　特許請求の範囲の記載を、
「【請求項１】 外箱と、内箱と、前記外箱と内箱の間に断熱材を封入して構成した断熱箱体と、扉外板と、扉内板と、前記扉外板と扉内板の間に断熱材を封入して構成した引き出し式の断熱扉と、前記断熱箱体の開口部に前記断熱扉を取り付けて内部に構成した貯蔵室とからなり、前記断熱箱体の開口周縁に設けた平面部と、前記平面部に連続して前記内箱に形成した凹部と、前記凹部の奥端に設けた段差部と、前記断熱扉の前記貯蔵室側周縁に設けた平面部と、前記平面部より立ち上げられた先端に折返部を設けて前記内箱凹部の段差部より手前側に配置されるよう前記扉内板に設けた断熱材が封入された凸部と、前記断熱箱体の平面部と断熱扉の平面部及び前記内箱の凹部と扉内板の凸部をそれぞれ対向させて形成したクランク形状のスロートと、前記断熱扉の閉扉時に前記断熱扉周縁の平面部に前記断熱箱体の平面部と密着するシール部材を設け、さらに前記扉内板の凸部の折返部に固定される基部と前記基部に連続して形成された柔軟部とよりなるヒレ状のシール部材を前記断熱扉側に設けて、前記ヒレ状のシール部材は、閉扉時に柔軟部を前記内箱凹部の段差部に当接して前記スロートと前記貯蔵室内の間をシールし、断熱扉の貯蔵室内に臨む部分の室内側壁面を断熱箱体の開口面より室内側に食い込んで配置するとともに、断熱扉周縁の平面部の壁厚を、前記断熱扉の貯蔵室内に臨む部分の基準壁厚より薄くしたことを特徴とする冷蔵庫。」
と訂正する。
２−１−２　発明の詳細な説明の記載に関して、
訂正事項２
段落番号【００１６】、【００２０】及び【００５５】に記載の「凸部」を「断熱材が封入された凸部」と訂正する。
訂正事項３
段落番号【００１６】、【００２０】及び【００５５】に記載の「スロート」を「クランク形状のスロート」と訂正する。
訂正事項４
段落番号【００１８】、【００２１】及び【００５６】に記載の「室内側壁面」を「室内側断熱壁面」と訂正する。
訂正事項５
段落番号【００２１】及び【００５６】に記載の「請求項２に記載の発明は、請求項１に記載の発明において」を「また」と訂正する。
訂正事項６
段落番号【００２２】及び【００５７】に記載の「請求項３に記載の発明は」を「また」と訂正する。
　
２−２　訂正の目的の適否、新規事項の有無及び拡張・変更の存否
　訂正事項１に関連して、特許明細書の段落番号【００２０】に、「【発明の実施の形態】本発明の請求項１に記載の発明は、・・扉外板と、扉内板と、前記扉外板と扉内板の間に断熱材を封入して構成した引き出し式の断熱扉と、・・前記断熱扉の前記貯蔵室側周縁に設けた平面部と、前記平面部より立ち上げられた先端に折返部を設けて前記内箱凹部の段差部より手前側に配置されるよう前記扉内板に設けた凸部と、・・」と凸部を記載し、さらに、断熱扉への断熱材を封入は、凸部を含めて封入するもののみが図面に記載されていることから、「断熱材が封入された凸部」は、特許明細書に記載される事項であり、次いで、特許明細書の段落番号【００３４】に、「また、シール部材３３は引き出し式の断熱扉２２の前後方向の移動動作に合わせて、段差部３１に対して前後方向にシールする構成となり、閉扉動作時に自然な形でスムーズにシールが行われる。また、シール部材３３が前後方向のシール構成となるため、スロート３２を通じて貯蔵室３４内に貫流しようとする熱流はスロート３２を含めてクランク形状の通路を通過する必要があり、形状的な通路抵抗も相俟って熱貫流量がさらに低減する。」とスローとの形状としてクランクである旨の記載がなされていると共に、特許明細書の請求項２には、「【請求項２】 断熱扉の貯蔵室内に臨む部分の室内側壁面を断熱箱体の開口面より室内側に食い込んで配置するとともに、断熱扉周縁の平面部の壁厚を、前記断熱扉の貯蔵室内に臨む部分の基準壁厚より薄くしたことを特徴とする・・」と記載されている。
　したがって、特許明細書の特許請求の範囲の請求項１に記載された「凸部」、「スロート」、「断熱扉」との構成に、これらの特許明細書に記載された技術的事項で限定を加えることは、特許明細書の請求項１に記載された事項をその目的の範囲で、特許明細書に記載された技術的事項により限定するものであり、特許請求の範囲の減縮に該当するものであって、特許請求の範囲を何等変更又は拡張するものではなく、しかも、新規事項を追加するものではない。
　また、請求項２，３を削除することは、特許請求の範囲の減縮に該当するものであって、特許請求の範囲を何等変更又は拡張するものではなく、しかも、新規事項を追加するものではない。
　訂正事項２、３、５、６は、上記の訂正事項１に合わせ、不明瞭となる記載を釈明するものであり、訂正事項４も、明細書の前記差異及び図面の記載からは、「室内側壁面」が「室内側断熱壁面」であることが明らかではあるものの、同記載のみからは不明瞭であるところ、それを明瞭にするものであって、何れも新規事項を追加せず、しかも、実質上特許請求の範囲を拡張し、又は変更するものではない。
　
２−３　むすび
　上記訂正は、特許異議の申立がなされていない請求項に係るものではなく、以上のとおり、特許法第１２０条の４第２項及び同条第３項で準用する特許法第１２６条第２項及び第３項の規定に適合するので、当該訂正を認める。
　
　
３　特許異議申立に対する判断
３−１　申立て理由の概要
　特許異議申立人株式会社東芝は、
甲第１号証として、刊行物「実願昭５６−１４６８２５号（実開昭５８−５１１７８号）のマイクロフィルム」
甲第２号証として、刊行物「実願昭５６−４６７１４号（実開昭５７−１６００８６号）のマイクロフィルム」
甲第３号証として、刊行物「特開平１０−１２２７３０号公報」
提出して、本件請求項１に係る発明は、甲各号証に記載された発明に基づいて、当業者が容易に発明をすることができたものであるとし、さらに、請求項２，３に記載される構成は、甲第２，３号証にそれぞれ記載されており、本件請求項２，３に係る発明は、甲各号証に記載された発明に基づいて、当業者が容易に発明をすることができたものであるから、それら発明に対する特許は、特許法第２９条第２項の規定に違反してなされたものであるから、本件請求項１〜３に係る発明に係る特許は、特許法第１１３条第２号の規定により取り消されるべきものである旨主張している。
　
３−２　本件の発明
　上述のとおり、特許権者の請求した訂正は認められるので、本件の請求項１、２に係る発明は、訂正された特許請求の範囲に記載された以下の事項により特定されるものである。
【請求項１】 外箱と、内箱と、前記外箱と内箱の間に断熱材を封入して構成した断熱箱体と、扉外板と、扉内板と、前記扉外板と扉内板の間に断熱材を封入して構成した引き出し式の断熱扉と、前記断熱箱体の開口部に前記断熱扉を取り付けて内部に構成した貯蔵室とからなり、前記断熱箱体の開口周縁に設けた平面部と、前記平面部に連続して前記内箱に形成した凹部と、前記凹部の奥端に設けた段差部と、前記断熱扉の前記貯蔵室側周縁に設けた平面部と、前記平面部より立ち上げられた先端に折返部を設けて前記内箱凹部の段差部より手前側に配置されるよう前記扉内板に設けた断熱材が封入された凸部と、前記断熱箱体の平面部と断熱扉の平面部及び前記内箱の凹部と扉内板の凸部をそれぞれ対向させて形成したクランク形状のスロートと、前記断熱扉の閉扉時に前記断熱扉周縁の平面部に前記断熱箱体の平面部と密着するシール部材を設け、さらに前記扉内板の凸部の折返部に固定される基部と前記基部に連続して形成された柔軟部とよりなるヒレ状のシール部材を前記断熱扉側に設けて、前記ヒレ状のシール部材は、閉扉時に柔軟部を前記内箱凹部の段差部に当接して前記スロートと前記貯蔵室内の間をシールし、断熱扉の貯蔵室内に臨む部分の室内側壁面を断熱箱体の開口面より室内側に食い込んで配置するとともに、断熱扉周縁の平面部の壁厚を、前記断熱扉の貯蔵室内に臨む部分の基準壁厚より薄くしたことを特徴とする冷蔵庫。
　したがって、本件請求項１に係る発明は、
扉内板に設けた断熱材が封入された凸部と、断熱箱体の平面部と断熱扉の平面部及び内箱の凹部と扉内板の凸部をそれぞれ対向させて形成したクランク形状のスロートと、
を構成の一部として有するものである。
　
３−３　甲各号証の刊行物に記載された発明
３−１　甲第１号証について、
　甲第１号証には、明細書第２頁第１５行〜第４頁第４行に、「本考案の冷蔵庫は外箱１の溝２に段部３を有する内箱４の突部５をはめ込み該外箱１と内箱４にて形成される空間６にウレタンフォーム７等を充填発泡して冷蔵庫本体８を形成し、該冷蔵庫本体８の前面開口部９を開閉成する扉１１を取着溝１２を有する扉枠１３に扉板１４をはめ込み該扉枠１３と扉板１４にて形成される空間部１５にウレタンフォーム１６等を充填発泡して形成し、該扉１１に取着溝２３を有する扉内板１７をビス１８により取着し、該扉１１を上記冷蔵庫本体８に閉成した際に該扉１１と上記冷蔵庫本体８との間に生じる隙間ａを密閉する弾力性を有する主パッキング１９を該主パッキング１９の取付脚２０を該扉１１の取着溝１２に圧入して該扉１１に取着するとともに上記扉内板１７と上記冷蔵庫本体８との間に生じる隙間ｂを密閉する弾力性を有する補助パッキング２１を該補助パッキング２１の取付脚２２を上記扉内板１７の取着孔２３に圧入して該扉内板１７に取着し、・・補助パッキング２１は扉１１の回転に対して冷蔵庫本体８の内箱４の段部３に垂直に密接する・・」
と記載されており、同記載及び図面の記載を総合すると、甲第１号証には、
外箱１と、内箱４と、前記外箱と内箱の間に断熱材であるウレタンフォーム７等を封入して構成した冷蔵庫本体８と、扉板１４と、扉内板１７と、前記扉板と扉内板の間に断熱材であるウレタンフォーム１６等を封入して構成した断熱された扉１１と、前記冷蔵庫本体の開口部９に前記扉を取り付けて内部に構成した庫内の空間とからなり、前記冷蔵庫本体の開口周縁に設けた平面部を形成する突部５と、前記突部に連続して前記内箱に形成した凹状の部分と、前記凹状の部分の奥端に設けた段部３と、前記扉の前記庫内周縁に設けた取付溝１２を有する扉枠１３と、前記扉枠より立ち上げられた先端に折返す部分を設けて前記内箱の凹状の部分の段部より手前側に配置されるよう前記扉内板に設けた凸状の部分と、前記冷蔵庫本体の突部５と扉の扉枠及び前記内箱の凹状の部分と扉内板の凸状の部分をそれぞれ対向させて形成したクランク状の隙間と、前記扉の閉扉時に前記冷蔵庫本体の周縁の突部と密着するように前記扉の扉枠に主パッキング１９を設け、さらに前記扉内板の凸状の部分の折返される部の取着孔２３に固定される取付脚２２と前記取付脚に連続して形成された平面上の部分からさらに連続したヒレ状の補助パッキング１９を前記扉に設けて、前記ヒレ状の補助パッキングは、閉扉時にヒレ状の部分を前記内箱の凹部の段部に当接して前記隙間と前記庫内の間をシールし、冷蔵庫本体の周縁の突部の壁厚を、他の部分の壁厚より薄くした冷蔵庫
の発明が記載されるものと認めるものの、凸状の部分の内部には、断熱材を封入するものではない。
　
３−２　甲第２号証について、
甲第２号証には、明細書第１頁末行〜第２頁１４行に、
「・・（１）は冷蔵庫本体で、・・冷凍室（３）と冷蔵室（４）に区画されている。（５）は外箱で内箱（６）とは・・接続され内部に断熱材（７）が充填されている。（８）は内箱に設けられた段部で該段部（８）の手前には補助パッキン（９）がネジ（１５）等で固定されている。そしてこの補助パッキン（９）は軟質部（９ａ）と硬質部（９ｂ）とから構成され左右方向にクッション性を有している。・・（１０）は扉本体で、扉外板（１１）、扉棚（１２）、断熱材（７）等から構成されている。（１３）は扉棚土手部でその先端部（１３ａ）は補助パッキン（９）の軟質部（９ａ）に接触している。（１４）はドアパッキンである。」
と記載されており、同記載及び図面の記載を総合すれば、甲第２号証には、
外箱（５）と、内箱（６）と、前記外箱と内箱の間に断熱材（７）を封入して構成した断熱された箱状の本体と、扉外板（１１）と、扉の内側の板である扉棚（１２）と、前記扉外板と扉棚の間に断熱材（７）を封入して構成した扉本体（１０）と、前記本体の開口する部分に前記扉本体（１０）を取り付けて内部に構成した冷凍室（３）、冷蔵室（４）とからなり、前記本体の開口する部分の周縁に設けた平面状の部分と、前記平面状の部分に連続して前記内箱に形成した凹状の部分と、前記凹状の部分の奥端に設けた段部（８）と、前記扉本体（１０）の前記冷凍室（３）、冷蔵室（４）側周縁に設けた平面状の部分と、前記平面状の部分より立ち上げられた先端に折返す先端部（１３ａ）を設けて前記内箱の凹状の部分の段部より手前側に配置されるよう前記扉棚に設けた扉棚土手部（１３）と、前記本体の平面状の部分と扉本体（１０）の平面状の部分及び前記内箱の凹状の部分と扉棚の扉棚土手部をそれぞれ対向させて形成した空間と、前記扉本体（１０）の閉扉時に前記扉本体（１０）周縁の平面状の部分に前記本体の平面状の部分と密着するドアパッキン（１４）を設け、さらに前記扉棚の凸部の扉棚土手部の先端部附近に対向する内箱の段部の手前に固定される硬質部（９ｂ）と前記硬質部（９ｂ）に連続して形成された軟質部（９ａ）とよりなるヒレ状の補助パッキン（９）を前記内箱側に設けて、前記ヒレ状の補助パッキン（９）は、閉扉時に軟質部を前記扉棚の凸部の扉棚土手部の先端部附近に当接して前記空間と前記冷凍室（３）、冷蔵室（４）内の間をシールし、扉本体の冷凍室、冷蔵室に臨む部分の内側壁面を本体の開口面より室内側に食い込んで配置するとともに、扉本体周縁の平面状の部分の壁厚を、前記扉本体の冷凍室、冷蔵室に臨む部分の壁厚より薄くした冷蔵庫
の発明が記載されるものと認められるのの、凸部である扉棚土手部をの内部には、断熱材を封入するものではない。
　
３−３　甲第３号証（特開平１０−１２２７３０号公報）
　甲第３号証には、段落番号【００１３】に「【発明の実施の形態】以下本発明の実施の形態を図１および図２を参照して説明する。
〔実施の形態 １〕図１は、本発明の第一の実施形態を示す冷蔵庫の扉および仕切板周辺部の拡大断面図である。図１に示す冷蔵庫において、扉１は、前面を鋼板の化粧板１ａとし、庫内７側に上部壁面３ａ、下部壁面３ｂを有する樹脂製の内壁３を形成し、扉１の庫内側四周を区画する周囲先端にはマグネットパッキン４が扉１先端の溝に嵌め合わされ圧着されている。扉１内部には断熱材５が充填されていて、扉１は食品収納容器１１とともに前後に移動する引出式構造になつている。」と、
段落番号【００１５】に、「図１において、９は、硬質プラスチックと軟質プラスチックで一体成形された遮蔽板であり、この遮蔽板９は、その硬質部を支持板１０とし、先端９ａを軟質プラスチックで形成されている。扉１の庫内７側内壁３の上部壁面３ａおよび下部壁面３ｂの段差部に、遮蔽板９の支持板１０をブッシュ１３で圧着固定している。そして、軟質プラスチックの先端９ａは仕切板２の内表面である下面２ａ，上面２ｂと接触している。その接触位置は、仕切板２に埋設されているホットガスパイプ８の埋設位置を避けた先（奥側）の位置となっている。したがって、扉１の庫内７側上下部では、内壁３、遮蔽板９、仕切板２、およびマグネットパッキン４の各々の一部が互いに接触して封止された空間領域（以下単に空間という）１４を形成している。」と、
段落番号【００１６】に、「このように構成されている扉１および仕切板２の庫内７側周辺部では、庫内７奥から吐出される冷気は仕切板２の下面２ａに沿って扉１側に流れてくるが、ホツトガスパイプ８の奥側の位置に仕切板２の内表面と接触して設けられた遮蔽板９で封止される。その冷気は、扉１およびマグネツトパッキン４側への冷気の侵入が防止され、パッキン９表面に添って冷気は流下し、食品収納容器１１手前側上部のスリツト１５から下方に流入する。下方にも扉１の下部壁面３ｂに固定され垂下して設けた遮蔽板９が仕切板２の上面２ｂのホットガスパイプ８の埋設位置を避けた先（奥側）と接触して設けてあり、マグネツトパッキン４側への冷気の侵入を防止している。」と、
段落番号【００２１】に、「遮蔽板９Ａのヒレ状先端９ａの下端は、扉１を閉じたときには、食品収納容器１１上端部のスリット状開口部１５前方に形成されている前記遮蔽用突起部１７と接触している。このようにすることで、庫内７の奥から扉１内壁３側へ仕切板２の下面２ａに沿って吐出されてくる冷気をホツトガスパイプ８の埋設位置の奥側で封止すると共に、冷気を箱体１６に通過させることができ、箱体１６と扉１の内壁３との間の冷気が滞留して、断熱層１９となり、先の第一の実施形態の効果に加えて、扉１からの熱漏洩も低減される。」と
記載されているから、同記載及び図面の記載を総合すると、甲第３号証には、
化粧板１ａと内壁３の間に断熱材５を封入して構成した引き出し式の扉１と、庫内側四周を区画する開口する部分に前記扉を取り付けて内部に構成した食品収納容器１１を有する貯蔵室とからなり、前記扉の閉扉時に扉の内壁の平面状の部分に前記庫内側四周の平面状の部分と密着するマグネットパッキン４を設け、扉の内壁３の段差部に軟質の先端９ａを有する遮蔽板９の硬質の支持部１０を設け、又は、遮蔽板９Ａを仕切板２の下面２ａに設け、仕切板又は食品収納容器１１の突起１７と接触させてシールし、扉と一体に前記庫内より引き出される食品収納容器とからなる冷蔵庫
の発明が記載されるものと認める。
　
３−４　対比判断
　訂正された本件請求項１に記載された発明と甲第１号証に記載された発明とを比較すると、本件請求項１に係る発明が
扉内板に設けた断熱材が封入された凸部と、断熱箱体の平面部と断熱扉の平面部及び内箱の凹部と扉内板の凸部をそれぞれ対向させて形成したクランク形状のスロートとを有するものであるのに対して、甲第１号証のものでは、冷蔵庫本体の突部５と扉の扉枠及び前記内箱の凹状の部分と扉内板の凸状の部分をそれぞれ対向させて形成したクランク状の隙間を有するものの、凸部に断熱材を封入するものではない点
で少なくとも相違している。そして本件請求項１に係る発明は、この構成を有することにより、外部からの空気がスロート内に侵入してもスロートが両面から断熱されることにより、スロートの断熱性が強化されるという、本件請求項１に係る発明特有の効果を奏するものであって、この構成を設計上の事項とすることはできない。
　また、甲第２号証の記載は上記のとおりであり、扉棚土手部の内部には、断熱材を封入するものではないので、上記相違点の構成を開示又は示唆するものではない。
　さらに、甲第３号証の記載は、上記のとおりであり、上記相違点の構成を何等開示又は示唆するものではない。
　
　よって、上記相違点の構成をその構成の一部とする本件請求項１に係る発明を、上記相違点の構成を開示するものではなく、それを示唆するものでもない甲各号証の刊行物に記載された発明とすることはできないばかりではなく、甲各号証の刊行物に記載された発明から当業者が容易に発明をすることができた発明とすることはできないので、特許異議申立人の主張は採用しない。
　
３−５　取消理由通知について
　当審において通知した取消理由は、前記甲第１〜３号証の刊行物を引用するものであり、３−４に述べた理由により、当審において通知した取消の理由によっては、本件請求項１に係る発明ついての特許を取り消すことはできない。
　
３−６　むすび
　以上説示の通り、各特許異議申立の理由及び証拠によっては、本件請求項１に係る発明についての特許を取り消すことはできない。
　また、上記相違点の構成を慣用される技術であるとする客観的証拠は何等なく、他に本件請求項１に係る発明についての特許を取り消すべき理由を発見しない。
　よって、結論のとおり決定する。
【異議決定日】
平成１４年９月５日（２００２．９．５）
【訂正の要旨】
１　特許請求の範囲の記載に関して
　訂正事項１
　特許請求の範囲の記載を、
「【請求項１】外箱と、内箱と、前記外箱と内箱の間に断熱材を封入して構成した断熱箱体と、扉外板と、扉内板と、前記扉外板と扉内板の間に断熱材を封入して構成した引き出し式の断熱扉と、前記断熱箱体の開口部に前記断熱扉を取り付けて内部に構成した貯蔵室とからなり、前記断熱箱体の開口周縁に設けた平面部と、前記平面部に連続して前記内箱に形成した凹部と、前記凹部の奥端に設けた段差部と、前記断熱扉の前記貯蔵室側周縁に設けた平面部と、前記平面部より立ち上げられた先端に折返部を設けて前記内箱凹部の段差部より手前側に配置されるよう前記扉内板に設けた断熱材が封入された凸部と、前記断熱箱体の平面部と断熱扉の平面部及び前記内箱の凹部と扉内板の凸部をそれぞれ対向させて形成したクランク形状のスロートと、前記断熱扉の閉扉時に前記断熱扉周縁の平面部に前記断熱箱体の平面部と密着するシール部材を設け、さらに前記扉内板の凸部の折返部に固定される基部と前記基部に連続して形成された柔軟部とよりなるヒレ状のシール部材を前記断熱扉側に設けて、前記ヒレ状のシール部材は、閉扉時に柔軟部を前記内箱凹部の段差部に当接して前記スロートと前記貯蔵室内の間をシールし、断熱扉の貯蔵室内に臨む部分の室内側壁面を断熱箱体の開口面より室内側に食い込んで配置するとともに、断熱扉周縁の平面部の壁厚を、前記断熱扉の貯蔵室内に臨む部分の基準壁厚より薄くしたことを特徴とする冷蔵庫。」
と訂正する。
２　発明の詳細な説明の記載に関して、
訂正事項２
段落番号【００１６】、【００２０】及び【００５５】に記載の「凸部」を「断熱材が封入された凸部」と訂正する。
訂正事項３
段落番号【００１６】、【００２０】及び【００５５】に記載の「スロート」を「クランク形状のスロート」と訂正する。
訂正事項４
段落番号【００１８】、【００２１】及び【００５６】に記載の「室内側壁面」を「室内側断熱壁面」と訂正する。
訂正事項５
段落番号【００２１】及び【００５６】に記載の「請求項２に記載の発明は、請求項１に記載の発明において」を「また」と訂正する。
訂正事項６
段落番号【００２２】及び【００５７】に記載の「請求項３に記載の発明は」を「また」と訂正する。
（５４）【発明の名称】
冷蔵庫
（５７）【特許請求の範囲】
　【請求項１】　外箱と、内箱と、前記外箱と内箱の間に断熱材を封入して構成した断熱箱体と、扉外板と、扉内板と、前記扉外板と扉内板の間に断熱材を封入して構成した引き出し式の断熱扉と、前記断熱箱体の開口部に前記断熱扉を取り付けて内部に構成した貯蔵室とからなり、前記断熱箱体の開口周縁に設けた平面部と、前記平面部に連続して前記内箱に形成した凹部と、前記凹部の奥端に設けた段差部と、前記断熱扉の前記貯蔵室側周縁に設けた平面部と、前記平面部より立ち上げられた先端に折返部を設けて前記内箱凹部の段差部より手前側に配置されるよう前記扉内板に設けた
断熱材が封入された
クランク形状の
し、前記断熱扉の貯蔵室内に臨む部分の室内側断熱壁面を断熱箱体の開口面より室内側に食い込んで配置するとともに、断熱扉周縁の平面部の壁厚を、前記断熱扉の貯蔵室内に臨む部分の基準壁厚より薄くした
【発明の詳細な説明】
　【０００１】
　【発明の属する技術分野】
　本発明は、冷蔵庫断熱箱体および断熱扉に関するものである。
　【０００２】
　【従来の技術】
　近年、地球環境保護の観点から、発電に伴う二酸化炭素の発生を抑えて地球温暖化に歯止めをかけようとする動きが活発である。一般消費者が日常的に直接使用する家電機器についても消費電力の低減による省エネルギー化が急務であり、家電機器の中でも特に電力消費比率の高い冷蔵庫は、省エネルギー技術の開発が最も需要な課題の一つとなっている。
　【０００３】
　冷蔵庫の省エネルギー化の主要テーマは冷凍サイクルの高効率化と冷蔵庫本体の断熱性の強化であり、このうち冷凍サイクルについては近年、インバーター圧縮機の採用や高効率熱交換器の開発などにより、飛躍的に成果が上げられつつある。
　【０００４】
　一方、断熱性の強化については、主として断熱材の高性能化を中心に進められ、近年においては一部真空断熱材との併用によるものも商品化されるなど、断熱壁を通じての外部熱の侵入に対しては大きな効果が上げられている。しかしながら、冷蔵庫本体内への外部熱の侵入は、断熱構造のとぎれる本体開口部周縁において最も顕著であり、この部分の侵入熱の低減が今後の省エネルギー化において一つの焦点になる。
　【０００５】
　本体開口部周縁の構造について、以下、図面を参照しながら上記従来の冷蔵庫を説明する。
　【０００６】
　図４は従来の冷蔵庫の断面図である。図５は図４のＡ−Ａ線における要部断面図である。
　【０００７】
　図４、図５において、１は冷蔵庫本体の断熱箱体、２は断熱扉、３は前記断熱箱体１と断熱扉２によって形成された貯蔵室である。４は前記断熱箱体１の鋼板製の外箱であり、本体開口部においてその前端部を内側に折り返して、前面にフランジ５を形成している。６は前記フランジ５の裏面で前端面を接合した樹脂製の内箱である。７は前記断熱扉２の開口部周縁に取り付けたシール部材であり、主に塩化ビニル製の異形押し出し成形で内面に柔軟性のあるマグネット８を内蔵している。９は前記断熱扉２の外観表面を構成する鋼板製の扉外板、１０は前記扉外板９と接合されて前記貯蔵室３側に臨ませた扉内板である。
　【０００８】
　また、１１は前記断熱扉２に固定された枠状のフレームであり、物品を収納する収納容器１２を支持している。１３は内箱６の両側面に前後に取り付けたレールであり、１４は前記フレーム１１を受けて回動する固定ローラー、１５は前記フレーム１１の先端に設けられて前記レール１３内を摺動する移動ローラーである。
　【０００９】
　以上のように構成された冷蔵庫について、以下その動作を説明する。
　【００１０】
　断熱扉２を引き出すとフレーム１１が固定ローラー１４を回転させながら上面を前方に摺動し、移動ローラー１５がレール１３内を前方に摺動して収納容器１２が貯蔵室３外に一体に引き出されて物品の出し入れが行われる。一方、断熱扉２の閉扉時には、シール部材７のマグネット８が外箱４のフランジ５に吸着することによって、断熱箱体１と断熱扉２の間の空間をシールし、庫内への外気の侵入を防止する。
　【００１１】
　【発明が解決しようとする課題】
　しかしながら、上記従来の構成では、引き出し式の断熱扉２は収納容器１３を取り付けるため扉内板１０と内箱６の側壁との間隙は貯蔵室３側に開放されており、シール部材７に貯蔵室３側からの冷気対流が作用しやすく、シール部材７に対する熱伝達係数が大きくなって外部からの熱貫流量が増加するという欠点があった。
　【００１２】
　また、外箱４は熱伝導性の高い鋼板製であるため外部の熱がフランジ５を伝導してシール部材７の吸着面を通過して貯蔵室３内に侵入するという欠点もあった。
　【００１３】
　本発明は従来の課題を解決するもので、本体開口部周縁の外部からの侵入熱を低減して、省エネルギー化を図ることを目的とする。
　【００１４】
　また、シール部材９が本体開口部の前面に位置し、断熱扉２の厚みが厚いため、側面からの外観的な見栄えが悪いという欠点があった。
　【００１５】
　本発明の第２の目的は、側面の美観を向上し、外観的に見栄えの良い冷蔵庫を提供することである。
　【００１６】
　【課題を解決するための手段】
　この目的を達成するため本発明の冷蔵庫は、外箱と内箱とよりなる断熱箱体と、扉外板と扉内板とよりなる引き出し式の断熱扉と、断熱箱体と断熱扉で構成される貯蔵室とからなり、断熱箱体の開口周縁に設けた平面部と、平面部に連続して内箱に形成した凹部と、凹部の先端に設けた段差部と、断熱扉の周縁に設けた平面部と、平面部より立ち上げられた先端に折返部を設けて内箱凹部の段差部より手前側に配置されるよう扉内板に設けた
断熱材が封入された
クランク形状の
　【００１７】
　これにより、スロート内への熱貫流が抑制され、開口周縁部からの熱伝導による侵入熱を低減でき、省エネルギー化を図ることができる。
　【００１８】
　また、本発明はさらに、断熱扉の貯蔵室内に臨む部分の室内側
断熱
　【００１９】
　これにより、スロート長が長くとれ熱貫流が抑制されて省エネルギー化を図ることができる。また、側面の美観を向上でき、見栄えの良い冷蔵庫を提供することができる。
　【００２０】
　【発明の実施の形態】
　本発明の請求項１に記載の発明は、外箱と、内箱と、前記外箱と内箱の間に断熱材を封入して構成した断熱箱体と、扉外板と、扉内板と、前記扉外板と扉内板の間に断熱材を封入して構成した引き出し式の断熱扉と、前記断熱箱体の開口部に前記断熱扉を取り付けて内部に構成した貯蔵室とからなり、前記断熱箱体の開口周縁に設けた平面部と、前記平面部に連続して前記内箱に形成した凹部と、前記凹部の奥端に設けた段差部と、前記断熱扉の前記貯蔵室側周縁に設けた平面部と、前記平面部より立ち上げられた先端に折返部を設けて前記内箱凹部の段差部より手前側に配置されるよう前記扉内板に設けた
断熱材が封入された
クランク形状
　【００２１】
　
また
断熱
　【００２２】
　
また
　【００２３】
　また、狭小空間となるスロート部はシール部材前後の空気の対流熱伝達係数が小さく、且つ、シール部材とヒレ部材間ではさらに対流熱伝達が減衰して外気熱の貫流量も一層減少する。
　【００２４】
　【実施例】
　以下、本発明による冷蔵庫の実施例について、図面を参照しながら説明する。
　【００２５】
　（実施例１）
　図１は、本発明の実施例１による冷蔵庫の要部断面図である。
　【００２６】
　図１において、１６は冷蔵庫本体の断熱箱体である。１７は鋼板製の外箱であり、前端面を内側に折曲加工することによって、前記断熱箱体１６の前面の平面部１８にフランジ１９を形成している。２０は前記フランジ１９の裏面に前端面を接合された真空成形などによる樹脂製の内箱である。そして、前記断熱箱体１６は前記外箱１７と内箱２０の間の空間に発泡ウレタンなどの断熱材２１を封入して構成されている。
　【００２７】
　２２は断熱扉である。２３は前記断熱扉２２の外表面を形成する鋼板製などの扉外板であり、その端部を略コの字状に内側に折り曲げられている。２４は前記断熱扉２２の内表面を形成する真空成形などによる樹脂製の扉内板であり、周縁に設けた平面部２５で前記扉外板２３と接合固定されている。そして、２６は前記扉外板２３と扉内板２４の間の空間に封入された断熱材である。また、２７は前記扉内板２４にフレーム（図示せず）を介して支持固定され、前記断熱扉２２と一体に引き出される収納容器である。
　【００２８】
　２８は前記扉内板２４の両側部に形成された凸部であり、２９は前記凸部２８に対向して前記断熱箱体１６の前面開口部に形成された凹部である。３０は前記凸部２８の折返部、３１は前記凹部２９の奥端の段差部であり、前記折返部３０と前記段差部３１は間隙をおいて対向するよう配置されている。また、３２は前記断熱箱体の平面部１８と前記断熱扉の平面部２５との間および扉内板の凸部２７と断熱箱体の凹部２８との間に形成されたスロート（狭小空間）である。
　【００２９】
　そして、３３は前記扉内板の凸部の折返部３０に取り付けたシール部材であり、その先端が前記断熱箱体の凹部の段差部３１に閉扉時において弾性的に圧接されるよう構成されている。また、３４は断熱箱体１６と断熱扉２２とで形成される空間に設けた貯蔵室である。
　【００３０】
　また、断熱扉２２の周縁に設けた平面部２５の壁厚は断熱扉２２の貯蔵室３４に臨む基準壁厚よりも薄く構成され、断熱箱体１６の開口先端の平面部１８が断熱扉２２の基準壁厚内に食い込んだ形で平面部２５と対峙している。
　【００３１】
　以上のような構成において、断熱扉２２の閉扉時、扉内板２４の凸部２８の折返部３０に設けたシール部材３３が、断熱箱体１６の凹部２９の奥端の段差部３１に弾性的に当接し、スロート３２と貯蔵室３４との間をシールする。
　【００３２】
　このとき、スロート３２は断熱扉２２の平面部２５から凸部２８に連続する面と、断熱箱体１６の平面部１８から凹部２９に連続する面が対峙する狭小空間であり、断熱箱体１６の折返部が断熱扉２２の基準壁厚内に食い込んだ形で形成されているため、スロート全長が長く形成できる。このため、外部からの空気がスロート３２内に侵入しても通路抵抗が大きく空気対流が減衰し、熱伝達係数が低下して内箱２０や扉内板２４およびシール部材３３に伝達される熱量は小さく抑えられる。
　【００３３】
　そして、これにより内箱２０や扉内板２４から貯蔵室３４内への熱伝導、シール部材３３から貯蔵室３４内への熱貫流が低減される。
　【００３４】
　また、シール部材３３は引き出し式の断熱扉２２の前後方向の移動動作に合わせて、段差部３１に対して前後方向にシールする構成となり、閉扉動作時に自然な形でスムーズにシールが行われる。また、シール部材３３が前後方向のシール構成となるため、スロート３２を通じて貯蔵室３４内に貫流しようとする熱流はスロート３２を含めてクランク形状の通路を通過する必要があり、形状的な通路抵抗も相俟って熱貫流量がさらに低減する。
　【００３５】
　また、シール部材３３を圧接するための付勢機構（たとえば、吸引機構、ラッチ機構、弾性機構、自閉機構など）を併用すればさらにシール性が高まりより安定した効果が得られる。
　【００３６】
　また、外箱１７のフランジ１９に従来のようにシール部材が密着しておらず、フランジ１９の一部が貯蔵室３４側に露出することもないので、シール面を通じてフランジ１９を伝導してくる外部の熱が直接貯蔵室３４側に侵入せず侵入熱量を低減できる。
　【００３７】
　これらのことにより、貯蔵室３４内への侵入熱量が総合的に減り、冷却負荷が軽減されて圧縮機の運転時間が短縮されたり、小型の圧縮機を適用出来たりして冷蔵庫の消費電力量が低減し、省エネルギー化を図ることが出来る。
　【００３８】
　一方、従来のようにシール部材を開口部周縁に設けず、スロート３２の奥端に設けているため、外側面からはシール部材３３が見えない。これにより側面からの美観が向上し、見栄えのよい冷蔵庫を提供することが出来る。併せて断熱扉２２の周縁部壁厚が薄いため側面からの外観がすっきりし、一層意匠効果が高まる。
　【００３９】
　なお、本実施例１では、断熱扉２２の扉外板２３と扉内板２４を直接接合したが、意匠効果を上げるために、扉外板と扉内板の間を接合する樹脂製のサッシュを介在させてもよい。
　【００４０】
　また、シール部材３３は断熱扉２２側に取り付けたが、断熱箱体１６の段差部３１側に取り付けても同様の効果が得られる。引き出し式の貯蔵室であるのでシール部材を断熱箱体側に取り付けても目立ちにくく、外観意匠的な不都合は生じない。
　【００４１】
　（実施例２）
　図２は、本発明の実施例２による冷蔵庫の要部断面図である。
　【００４２】
　なお、以後の実施例については、基本構造を実施例１と同じくしており、基本構造部分については実施例１の説明をもってこれを省略し、異なる構成についてのみ新しい符号を付して説明する。
　【００４３】
　図２において、３５は断熱扉であり、扉外板３６と扉内板３７を平面部３８で接合して構成されている。３９は前記扉内板３７の両側部に形成された凸部であり、４０は前記凸部３９の折返部である。そして前記凸部３９は凹部２９とスロート４１を介して相対し、前記折返部４０と段差部３１は間隙をおいて対向するよう配置されている。
　【００４４】
　そして、４２は断熱扉の平面部３８に取り付けたシール部材であり、その先端が断熱箱体の平面部１８に閉扉時において弾性的に圧接されるよう構成されている。また、４３は扉内板の凸部３９の折返部４０に取り付けたシール部材であり、基部４４とヒレ状の柔軟部４５より構成され、塩化ビニル、シリコンその他のエラストマー材料で押し出し成形などで形成されている。そして、前記折返部４０に前記基部４４がたとえば溶着や圧入などの手段で固定され、柔軟部４５が閉扉時に前記段差部３１に当接シールするよう構成されている。
　【００４５】
　以上のような構成において、断熱扉３５の閉扉時、シール部材４２が断熱箱体１６の平面部１８に圧接され開口部を気密シールする。そして同時にシール部材４３のヒレ状の柔軟部４５が内箱の段差部３１に沿う形で当接シールし、結果的に貯蔵室３４に対して二重にシールすることになる。
　【００４６】
　このため、シール部材４２とシール部材４３との間に形成されたスロート４１は空気対流がほとんどない熱伝達係数の微少な空間となり、外部からの熱貫流量が大きく抑えられる。この結果、貯蔵室内への侵入熱量が一層低減でき省エネルギー効果がより高まる。
　【００４７】
　なお、本実施例では、シール部材４３はヒレ状の柔軟部４５を採用しているため反発力が小さく、開口部のシール部材４２の密着作用を阻害することはない。
　【００４８】
　また、開口部のシール部材４２のシールをより確実にするためにマグネットなどの吸着手段を設けてフランジ１９に吸着させてもよく、この場合フランジ１９を介してスロート４１内に外部熱が伝導侵入しようとするが、スロート４１内の空気熱伝達がほとんど抑えられるため最終的に貯蔵室３４内には大きな熱影響を及ぼさない。
　【００４９】
　また、開口部のシール部材４２のシールが強化されれば、段差部３１のシール部材４３を弾性力の高い、よりシール性の高い形状のものを選択することも可能である。
　【００５０】
　（実施例３）
　図３は、本発明の実施例３による冷蔵庫の要部断面図である。
　【００５１】
　図３において、４６は断熱扉であり、扉外板４７と扉内板４８を平面部４９で接合して形成している。また、５０は前記扉内板４８にフレーム（図示せず）で支持固定され、前記断熱扉４６と一体に引き出される収納容器である。前記収納容器５０はその前部両側面に凸部５１を形成し、前記凸部５１の後端には凹溝５２が設けられており、５３は前記凹溝５２内に圧入固定されたシール部材である。そして、前記凸部５１は閉扉時に断熱箱体１６の凹部２９とスロート５４を挟んで相対し、前記シール部材５３は内箱の凹部の段差部３１に当接シールするよう構成されている。
　【００５２】
　以上のような構成において、断熱扉４６の閉扉時、収納容器５０の凸部５１に設けたシール部材５３が、内箱の凹部の段差部３１に圧接され、スロート５４と貯蔵室３４の間をシールする。
　【００５３】
　このため、外部からの空気がスロート５４内に侵入しても通路抵抗が大きく空気対流が減衰し、熱伝達係数が低下して内箱２０や収納容器５０およびシール部材５３に伝達される熱量は小さく抑えられ貯蔵室３４内への侵入熱量が低減する。このため冷却効率が高まり省エネルギー効果が得られる。
　【００５４】
　そして、内箱の凹部３１と相対しスロート５４を形成する凸形状を扉内板４８で形成せず収納容器５０で一体に形成しているため収納容器５０の両側面を内箱２０の側面に近づけることができ、収納容器５０の幅を広げて収納量を大きくできる。
　【００５５】
　【発明の効果】
　以上説明したように請求項１に記載の発明は、断熱箱体の開口周縁に設けた平面部と、平面部に連続して内箱に形成した凹部と、凹部の先端に設けた段差部と、断熱扉の周縁に設けた平面部と、平面部から立ち上げられて内箱凹部の段差部より手前側に配置され先端に折返部を設けた扉内板の
断熱材が封入された
クランク形状の
　【００５６】
　
また
断熱
　【００５７】
　
また
【図面の簡単な説明】
　【図１】
　本発明による冷蔵庫の実施例１の要部断面図
　【図２】
　本発明による冷蔵庫の実施例２の要部断面図
　【図３】
　本発明による冷蔵庫の実施例３の要部断面図
　【図４】
　従来の冷蔵庫の断面図
　【図５】
　図４のＡ−Ａ線断面図
　【符号の説明】
　１６　断熱箱体
　１７　外箱
　１８　断熱箱体の平面部
　１９　フランジ
　２０　内箱
　２１　断熱材
　１７　断熱扉
　２３　扉外板
　２４　扉内板
　２５　断熱扉の平面部
　２６　断熱材
　２７　スロート
　２８　凸部
　２９　凹部
　３１　段差部
　３２　スロート
　３３　シール部材
　３４　貯蔵室
　３５　断熱扉
　３６　扉外板
　３７　扉内板
　３８　断熱扉の平面部
　３９　凸部
　４０　折返部
　４１　スロート
　４２　シール部材
　４３　シール部材
　４４　基部
　４５　柔軟部
　４６　断熱扉
　４７　扉外板
　４８　扉内板
　４９　断熱扉の平面部
　５０　収納容器
　５１　凸部
　５３　シール部材
　５４　スロート